(57)【要約】【課題】  宅内装置が受信可能な配信中の複数のマルチキャストトラフィックから、適切なトラフィックのみを配信可能とし、宅内装置において正しく再生可能なＩＰマルチキャスト配信装置を提供する。【解決手段】  ＩＰマルチキャスト配信装置１は、入力検出部１３ａ及びタイマ機構１２ａによって安定したトラフィックの入力を検出すると、入力されたトラフィックによってマスクされるマルチキャストトラフィックをマスクテーブル１１によって判定する。この判定でマスクされるトラフィックはトラフィック選択部１４ｂ，１４ｃにおいてトラフィックの格納が停止される。ＩＰマルチキャスト配信装置１は、一定時間マルチキャストトラフィックの入力を検出できない場合、マスクテーブル１１から該当マルチキャストグループによってマスクされていたトラフィックのトラフィックのキュー１５ｂ，１５ｃへの格納を再開する。【選択図】      図１
2008211694.tif 000002
【特許請求の範囲】
【請求項１】
マルチキャスト配信サーバからＩＰ（Ｉｎｔｅｒｎｅｔ  Ｐｒｏｔｏｃｏｌ）マルチキャストによって配信されるコンテンツを宅内装置に中継するＩＰマルチキャスト配信装置であって、
前記コンテンツのマルチキャストグループ間における依存関係を管理する管理手段と、前記管理手段で管理される前記依存関係に基づいて予め設定された特定のマルチキャストグループの有無に応じて他のマルチキャストグループの転送の停止・再開を制御する手段とを有することを特徴とするＩＰマルチキャスト配信装置。
【請求項２】
前記管理手段は、前記コンテンツのマルチキャストグループ間における依存関係を蓄積するマスクテーブルを含むことを特徴とする請求項１記載のＩＰマルチキャスト配信装置。
【請求項３】
前記マスクテーブルは、前記特定のマルチキャストグループによってマスクされるマルチキャストグループをビットマップとして表現することを特徴とする請求項２記載のＩＰマルチキャスト配信装置。
【請求項４】
マルチキャストトラフィックの定常的な入力を検出する入力検出手段及びタイマ機構と、前記マルチキャストトラフィックを格納するキューと、前記キューに格納されるマルチキャストトラフィックを選択するトラフィック選択手段とを含み、
前記入力検出手段及びタイマ機構によって安定したマルチキャストトラフィックの入力を検出した時にその入力されたマルチキャストトラフィックによってマスクされるマルチキャストトラフィックを前記マスクテーブルによって判定し、この判定によってマスクされるマルチキャストトラフィックを前記トラフィック選択手段において前記キューへの格納を停止することを特徴とする請求項２または請求項３記載のＩＰマルチキャスト配信装置。
【請求項５】
前記入力検出手段及びタイマ機構によって一定時間、前記マルチキャストトラフィックの入力が検出できない時に当該マルチキャストグループによってマスクされていたマルチキャストトラフィックを前記トラフィック選択手段において前記キューへの格納を再開することを特徴とする請求項４記載のＩＰマルチキャスト配信装置。
【請求項６】
前記特定のマルチキャストグループが緊急告知トラフィックを示し、
この緊急告知トラフィックの有無に応じて該当エリアに配信される通常のマルチキャストトラフィックの停止・再開を行うことを特徴とする請求項１から請求項５のいずれか記載のＩＰマルチキャスト配信装置。
【請求項７】
前記特定のマルチキャストグループが該当エリアに配信される通常のマルチキャストトラフィックを示し、
この通常のマルチキャストトラフィックの有無に応じて前記他のマルチキャストグループである放送事故トラフィックの停止・再開を行うことを特徴とする請求項１から請求項５のいずれか記載のＩＰマルチキャスト配信装置。
【請求項８】
請求項１から請求項７のうちのいずれか記載のＩＰマルチキャスト配信装置を含むことを特徴とするコンテンツ配信システム。
【請求項９】
マルチキャスト配信サーバからＩＰ（Ｉｎｔｅｒｎｅｔ  Ｐｒｏｔｏｃｏｌ）マルチキャストによって配信されるコンテンツを宅内装置に中継する中継装置に用いるＩＰマルチキャスト配信方法であって、
前記中継装置が、前記コンテンツのマルチキャストグループ間における依存関係を管理する管理処理と、前記管理処理で管理される前記依存関係に基づいて予め設定された特定のマルチキャストグループの有無に応じて他のマルチキャストグループの転送の停止・再開を制御する処理とを実行することを特徴とするＩＰマルチキャスト配信方法。
【請求項１０】
前記中継装置が、前記管理処理において、前記コンテンツのマルチキャストグループ間における依存関係を蓄積するマスクテーブルを用いて前記依存関係を管理することを特徴とする請求項９記載のＩＰマルチキャスト配信方法。
【請求項１１】
前記マスクテーブルは、前記特定のマルチキャストグループによってマスクされるマルチキャストグループをビットマップとして表現することを特徴とする請求項１０記載のＩＰマルチキャスト配信方法。
【請求項１２】
前記中継装置が、マルチキャストトラフィックの定常的な入力を検出する入力検出処理と、前記マルチキャストトラフィックを格納するキューに格納されるマルチキャストトラフィックを選択するトラフィック選択処理とを実行し、
前記中継装置が、前記入力検出処理によって安定したマルチキャストトラフィックの入力を検出した時にその入力されたマルチキャストトラフィックによってマスクされるマルチキャストトラフィックを前記マスクテーブルによって判定し、この判定によってマスクされるマルチキャストトラフィックを前記トラフィック選択処理において前記キューへの格納を停止させることを特徴とする請求項１０または請求項１１記載のＩＰマルチキャスト配信方法。
【請求項１３】
前記中継装置が、前記入力検出処理によって一定時間、前記マルチキャストトラフィックの入力が検出できない時に当該マルチキャストグループによってマスクされていたマルチキャストトラフィックを前記トラフィック選択手段において前記キューへの格納を再開させることを特徴とする請求項１２記載のＩＰマルチキャスト配信方法。
【請求項１４】
前記特定のマルチキャストグループが緊急告知トラフィックを示し、
前記中継装置が、この緊急告知トラフィックの有無に応じて該当エリアに配信される通常のマルチキャストトラフィックの停止・再開を行うことを特徴とする請求項９から請求項１３のいずれか記載のＩＰマルチキャスト配信方法。
【請求項１５】
前記特定のマルチキャストグループが該当エリアに配信される通常のマルチキャストトラフィックを示し、
前記中継装置が、この通常のマルチキャストトラフィックの有無に応じて前記他のマルチキャストグループである放送事故トラフィックの停止・再開を行うことを特徴とする請求項９から請求項１３のいずれか記載のＩＰマルチキャスト配信装置。
【発明の詳細な説明】
【技術分野】
【０００１】
本発明はＩＰマルチキャスト配信装置、コンテンツ配信システム及びそれらに用いるＩＰマルチキャスト配信方法に関し、特にＩＰ（Ｉｎｔｅｒｎｅｔ  Ｐｒｏｔｏｃｏｌ）マルチキャストによるコンテンツ配信に関する。
【背景技術】
【０００２】
従来のＩＰマルチキャストによる典型的なコンテンツ配信の構成を図７に示す。図７において、ＩＰマルチキャストのネットワークは、加入社宅内に設置される宅内装置（＃１〜＃３）５ａ〜５ｃと、ＣＤＮ（Ｃｏｎｔｅｎｔ  Ｄｅｌｉｖｅｒｙ  Ｎｅｔｗｏｒｋ）２１０に配置された映像等のコンテンツを格納しかつそれらを公衆配信するマルチキャスト配信サーバ（以下、配信サーバとする）６ａと、宅内装置（＃１〜＃３）５ａ〜５ｃと配信サーバ６ａとの両者の間に配置された中継ネットワーク２００内においてルータや集線装置等から構成される中継装置４とからなる。
【０００３】
宅内装置（＃１〜＃３）５ａ〜５ｃは、ユーザからのチャンネル切替え等の要求にしたがって、マルチキャストグループへの参加要求を送信する。中継装置４は宅内装置（＃１〜＃３）５ａ〜５ｃからのグループ参加要求に基づいて配信サーバ６ａからのマルチキャストトラフィックを宅内装置（＃１〜＃３）５ａ〜５ｃへと送信し、宅内装置（＃１〜＃３）５ａ〜５ｃでのディジタルコンテンツの視聴を可能とする。
【０００４】
中継ネットワーク２００に配置される中継装置４は、宅内装置（＃１〜＃３）５ａ〜５ｃからのグループ参加要求によって、該当マルチキャストパケットを転送する必要のある物理ポートを判定する。こうして形成されたマルチキャスト転送テーブルにしたがって、中継装置４は、配信サーバ６ａから送信されるマルチキャストパケットを適切なポートへとコピー・転送する。
【０００５】
この種のＩＰマルチキャストによるコンテンツ配信に関しては、以下のような特許文献１〜３に記載の技術がある。
【特許文献１】特開２００３−２５８８９２号公報
【特許文献２】特開２００５−２２９４６５号公報
【特許文献３】特開２００３−２３６７０１号公報
【発明の開示】
【発明が解決しようとする課題】
【０００６】
上述した従来の中継装置では、配信サーバからのパケットを適切にコピー・転送するのみであり、あるコンテンツを受信する宅内装置が存在するにもかかわらず、配信サーバからのパケットが到達しないといった状況にあっても、上流ネットワークや配信サーバの障害であることを宅内装置に対して通知することができない。
【０００７】
また、従来の中継装置では、図８に示すように、災害発生時等、緊急告知放送を宅内装置（＃１〜＃３）５ａ〜５ｃに固定的に設定されたマルチキャストグループに対してパケットの送信を行うが、すでに受信中のパケットと同時に配信されるため、宅内装置（＃１，＃３）５ａ，５ｃにおいて２つのマルチキャストグループのトラフィック（マルチキャストパケット及び緊急告知パケット）が同時に到達することになり、コンテンツを正しく再生することができないといった問題がある。
【０００８】
さらに、この場合には、緊急告知用パケットと受信中のコンテンツに対応するマルチキャストパケットとが宅内装置側ネットワークに転送されるため、設計されたネットワーク帯域を上回ることとなり、他のパケットの帯域を圧迫するといった問題がある。
【０００９】
従来のネットワークでは、各マルチキャストグループが独立したトラフィックとして扱われているため、（１）緊急告知等放送等を配信する場合、緊急告知トラフィックと通常のマルチキャストトラフィックが宅内装置へと送信され、映像データを正しく再生できない、（２）緊急告知と通常のトラフィックとが同時に送信されるため、回線帯域を圧迫する、（３）配信サーバや配信サーバ側ネットワークの障害等が発生した場合に宅内装置に上流ネットワークの障害を通知できない、という問題がある。
【００１０】
そこで、本発明の目的は上記の問題点を解消し、宅内装置が受信可能な配信中の複数のマルチキャストトラフィックから、宅内装置が受信すべきトラフィックとして適切なトラフィックのみを配信することができ、宅内装置において正しく再生することができるＩＰマルチキャスト配信装置、コンテンツ配信システム及びそれらに用いるＩＰマルチキャスト配信方法を提供することにある。
【課題を解決するための手段】
【００１１】
本発明によるＩＰマルチキャスト配信装置は、マルチキャスト配信サーバからＩＰ（Ｉｎｔｅｒｎｅｔ  Ｐｒｏｔｏｃｏｌ）マルチキャストによって配信されるコンテンツを宅内装置に中継するＩＰマルチキャスト配信装置であって、
前記コンテンツのマルチキャストグループ間における依存関係を管理する管理手段と、前記管理手段で管理される前記依存関係に基づいて予め設定された特定のマルチキャストグループの有無に応じて他のマルチキャストグループの転送の停止・再開を制御する手段とを備えている。
【００１２】
本発明によるコンテンツ配信システムは、上記のＩＰマルチキャスト配信装置を含むことを特徴とする。
【００１３】
本発明によるＩＰマルチキャスト配信方法は、マルチキャスト配信サーバからＩＰ（Ｉｎｔｅｒｎｅｔ  Ｐｒｏｔｏｃｏｌ）マルチキャストによって配信されるコンテンツを宅内装置に中継する中継装置に用いるＩＰマルチキャスト配信方法であって、
前記中継装置が、前記コンテンツのマルチキャストグループ間における依存関係を管理する管理処理と、前記管理処理で管理される前記依存関係に基づいて予め設定された特定のマルチキャストグループの有無に応じて他のマルチキャストグループの転送の停止・再開を制御する処理とを実行している。
【００１４】
すなわち、本発明のコンテンツ配信システムは、マルチキャストグループ間における依存関係を管理し、あるマルチキャストグループの有無によって他のマルチキャストグループの転送を停止・再開を行うことを特徴としている。
【００１５】
本発明のＩＰマルチキャスト配信装置は、基本構成として、トラフィックの定常的な入力を検出するための入力検出部と、タイマ機構と、パケットを格納するキューと、キューに格納されるトラフィックを選択するトラフィック選択部とから構成される。各キューは、一般的にトラフィックを適切な帯域で配信するためのシェーピング機能等を持つ場合もある。
【００１６】
トラフィック選択部は複数のマルチキャストトラフィックの入力から１つのマルチキャストトラフィックを選択、あるいは１つも選択しない、つまりマルチキャストトラフィックをキューに格納しないといった動作をとるものとする。
【００１７】
ここで、本発明のＩＰマルチキャスト配信装置は、マルチキャストトラフィックのマスクテーブルを持つ。マスクテーブルは縦軸、横軸を持つ面のデータとして定義され、あるマルチキャストグループによってマスクされるマルチキャストグループをビットマップとして表現する。例えば、マスクテーブルには、マルチキャストグループＭｃａｓｔＡのトラフィックが入力されると、ＭｃａｓｔＬ，ＭｃａｓｔＭのトラフィックがマスクされるという内容のデータが格納される。
【００１８】
本発明のＩＰマルチキャスト配信装置では、入力検出部及びタイマ機構によって安定したトラフィックの入力を検出すると、入力されたトラフィックによってマスクされるマルチキャストトラフィックをマスクテーブルによって判定する。この判定によって、マスクされるトラフィックはトラフィック選択部においてトラフィックの格納が停止される。
【００１９】
また、本発明のＩＰマルチキャスト配信装置では、逆に一定時間マルチキャストトラフィックの入力を検出できない場合、マスクテーブルから該当マルチキャストグループによってマスクされていたトラフィック選択部の切替えを行い、トラフィックのキューへの格納を再開する。
【００２０】
これによって、本発明のコンテンツ配信システムでは、ＩＰマルチキャスト配信装置に入力されるマルチキャストパケットの有無に応じ、他のマルチキャストトラフィックの配信を停止・再開することが可能となる。
【００２１】
したがって、本発明のコンテンツ配信システムでは、中継ネットワークに配置されるルータや集線装置において、マルチキャストグループ間の関連を管理することによって、緊急告知トラフィックによって該当エリアに配信される通常のマルチキャストトラフィックが停止されるため、宅内装置に配信されるマルチキャストトラフィックが緊急告知のみとなり、この緊急告知を宅内装置によって正しく再生することが可能となる。
【００２２】
また、本発明のコンテンツ配信システムでは、緊急告知トラフィックによって該当エリアに配信される通常パケットが停止されるため、他のトラフィックを圧迫することがなくなる。
【発明の効果】
【００２３】
本発明は、上記のような構成及び動作とすることで、宅内装置が受信可能な配信中の複数のマルチキャストトラフィックから、宅内装置が受信すべきトラフィックとして適切なトラフィックのみを配信することができ、宅内装置において正しく再生することができるという効果が得られる。
【発明を実施するための最良の形態】
【００２４】
次に、本発明の実施の形態について図面を参照して説明する。図１は本発明の実施の形態によるＩＰ（Ｉｎｔｅｒｎｅｔ  Ｐｒｏｔｏｃｏｌ）マルチキャスト配信装置の構成例を示すブロック図である。図１において、ＩＰマルチキャスト配信装置１は、本発明において提案するマルチキャストトラフィックの分散方式を搭載した装置とする。
【００２５】
ＩＰマルチキャスト配信装置１は、図示せぬＣＤＮ（Ｃｏｎｔｅｎｔ  Ｄｅｌｉｖｅｒｙ  Ｎｅｔｗｏｒｋ）に配置されるマルチキャスト配信サーバからのトラフィックの入力地点に設置され、複数のマルチキャスト配信サーバからのマルチキャストトラフィックを受信する。
【００２６】
また、ＩＰマルチキャスト配信装置１は、トラフィックの定常的な入力を検出するための入力検出部１３ａ〜１３ｃと、タイマ機構１２ａ〜１２ｃと、パケットを格納するキュー１５ａ〜１５ｃと、キュー１５ａ〜１５ｃに格納されるトラフィックを選択するトラフィック選択部１４ａ〜１４ｃと、多重部１６とから構成されている。各キュー１５ａ〜１５ｃは、一般的に、トラフィックを適切な帯域で配信するためのシェーピング機能等を持つ場合もある。
【００２７】
トラフィック選択部１４ａ〜１４ｃは、複数のマルチキャストトラフィックの入力から１つのマルチキャストトラフィックを選択、あるいは１つも選択しない、つまりマルチキャストトラフィックをキュー１５ａ〜１５ｃに格納しないといった動作をとるものとする。
【００２８】
さらに、ＩＰマルチキャスト配信装置１は、マルチキャストトラフィックのマスクテーブル１１を持つ。マスクテーブル１１は縦軸、横軸を持つ面のデータとして定義され、あるマルチキャストグループによってマスクされるマルチキャストグループをビットマップとして表現する。図１に示す例では、例えばマルチキャストグループＭｃａｓｔＡのトラフィックが入力されると、ＭｃａｓｔＬ，ＭｃａｓｔＭのトラフィックがマスクされること（情報「Ｍ」で示す）を意味する。
【００２９】
図２及び図３は本発明の実施の形態によるＩＰマルチキャスト配信装置１の動作例を示す図である。これら図１〜図３を参照して本発明の実施の形態によるＩＰマルチキャスト配信装置１の動作について説明する。
【００３０】
図２に示すように、ＩＰマルチキャスト配信装置１は、入力検出部１３ａ及びタイマ機構１２ａによって安定したトラフィックの入力を検出すると、入力されたトラフィック（ＭｃａｓｔＡ）によってマスクされるマルチキャストトラフィック（ＭｃａｓｔＬ，ＭｃａｓｔＭ）をマスクテーブル１１によって判定する。この判定によってマスクされるトラフィックＭｃａｓｔＬ，ＭｃａｓｔＭはトラフィック選択部１４ｂ，１４ｃにおいてトラフィックの格納が停止される。
【００３１】
逆に、図３に示すように、ＩＰマルチキャスト配信装置１は、一定時間マルチキャストトラフィックの入力を入力検出部１３ａ及びタイマ機構１２ａによって検出できない場合、マスクテーブル１１から該当マルチキャストグループ（ＭｃａｓｔＡ）によってマスクされていたトラフィック（ＭｃａｓｔＬ，ＭｃａｓｔＭ）に対応するトラフィック選択部１４ｂ，１４ｃの切替えを行い、トラフィックのキュー１５ｂ，１５ｃへの格納を再開する。
【００３２】
これによって、本発明の実施の形態では、ＩＰマルチキャスト配信装置１に入力されるマルチキャストパケットの有無に応じて、他のマルチキャストトラフィックの配信を停止・再開することが可能となる。
【実施例１】
【００３３】
図４は本発明の一実施例によるコンテンツ配信システムの構成を示すブロック図である。図４において、ＩＰマルチキャスト配信装置１は、マルチキャストトラフィックのマスクテーブル１１ａを持つ。また、ＩＰマルチキャスト配信装置１は、少なくとも２ポート以上のネットワークインタフェースを持ち、そのうちのいくつかのインタフェースが中継ネットワーク１００に接続され、残りのインタフェースのいくつかがマルチキャスト配信サーバ３ａ，３ｂの設置されたネットワーク（ＣＤＮ）１１０ａ，１１０ｂと接続される。
【００３４】
この時、マスクテーブル１１ａは縦軸側に緊急告知用のマルチキャストグループアドレス（「告知Ａ」、「告知Ｂ」、「告知Ｃ」、「告知Ｄ」、「告知Ｅ」）をとり、横軸方向に該当ネットワークにおいてＩＧＭＰ（Ｉｎｔｅｒｎｅｔ  Ｇｒｏｕｐ  Ｍｕｌｔｉｃａｓｔ  Ｐｒｏｔｏｃｏｌ）等のプロトコルによってダイナミックに配信されているマルチキャストトラフィックのアドレス（「ＭｃａｓｔＬ」、「ＭｃａｓｔＭ」、「ＭｃａｓｔＮ」、「ＭｃａｓｔＯ」、「ＭｃａｓｔＰ」、「ＭｃａｓｔＱ」）をとる。
【００３５】
マスクテーブル１１ａにおいて、縦軸側の緊急告知グループアドレスによってマスクされるマルチキャストグループは、対応するマスにＭＡＳＫフラグ（「Ｍ」）が設定される。緊急告知トラフィックによってマスクされるトラフィックの情報は、エリアコードやトラフィックの帯域情報等に応じて事前に設定されているものとする。
【００３６】
図５は図４に示すＩＰマルチキャスト配信装置１におけるパケットの動作概略を示す図である。これら図４及び図５を参照してＩＰマルチキャスト配信装置１におけるパケットの動作概略について説明する。
【００３７】
まず、本実施例では、適切なプロトコル処理によって該当するＩＰマルチキャスト配信装置１を経由して中継されるマルチキャストトラフィックを認識し、トラフィック毎にキュー１５ａ〜１５ｃの割り当てを行う。当該ＩＰマルチキャスト配信装置１を経由するマルチキャストトラフィックの認識方法においては、本発明によるＩＰマルチキャスト配信方法を適用するネットワークにおいて使用されているマルチキャスト制御プロトコルを実装する、あるいは該当プロトコルのＳｎｏｏｐｉｎｇ／Ｐｒｏｘｙ機能を実装することによって実現されるものとし、その実現方法については当業者によく知られた方法であるため、それらの説明は省略する。
【００３８】
ここで、マルチキャスト制御プロトコルはホスト−ルータ間、ルータ−ルータ間等、いくつかのプロトコルが存在するが、本実施例では、当該ＩＰマルチキャスト配信装置１を経由するマルチキャストトラフィックを認識し、それぞれにキュー１５ａ〜１５ｃを割り当てることができればよいため、とくにマルチキャスト制御プロトコルを限定しないものとする。
【００３９】
この状態において、緊急告知用のマルチキャストパケットが入力部１３ｄ及びタイマ機構１２ｄによって有効と判定されると［図５の（１）の処理］、そのマルチキャストアドレスをキーとしてマスクテーブル１１ａによってマスクされるトラフィック「ＭｃａｓｔＬ」，「ＭｃａｓｔＭ」が特定される。
【００４０】
緊急告知放送は宅内装置（＃１〜＃３）２ａ〜２ｃにおいて優先的に受信する特別なマルチキャストグループとして設定されているため、上述したマスク判定によってマスクされるトラフィック（「ＭｃａｓｔＬ」，「ＭｃａｓｔＭ」）から１つを選択し、そのキューに対応したトラフィック選択部１４ａを緊急告知トラフィックに切替える。
【００４１】
それ以外のマスク判定されたトラフィックは、そのキュー１５ｂに対応したトラフィック選択部１４ｂにおいてトラフィック選択を無効にする。図５に示す例では、切替えられるトラフィックを「ＭｃａｓｔＬ」、停止するトラフィックを「ＭｃａｓｔＭ」として、該当するトラフィック選択部１４ａ，１４ｂの制御を行い、キュー１５ａに告知用トラフィック（「告知Ａ」）が格納され、キュー１５ｂにはトラフィックが格納されなくなる。
【００４２】
これによって、本実施例では、緊急告知トラフィックが配信され、該当するトラフィックを優先すべきトラフィックが宅内装置（＃１〜＃３）２ａ〜２ｃに配信されなくなる。
【００４３】
このように、本実施例では、緊急告知トラフィックによって該当エリアに配信される通常のマルチキャストトラフィックが停止されるため、宅内装置（＃１〜＃３）２ａ〜２ｃに配信されるマルチキャストトラフィックが緊急告知のみとなり、その緊急告知を宅内装置（＃１〜＃３）２ａ〜２ｃによって正しく再生することが可能となる。
【００４４】
また、本実施例では、緊急告知トラフィックによって該当エリアに配信される通常パケットが停止されるため、他のトラフィックを圧迫することがなくなるという効果も奏する。
【実施例２】
【００４５】
図６は本発明の他の実施例によるＩＰマルチキャスト配信装置におけるパケットの動作概略を示す図である。図６において、本発明の他の実施例によるＩＰマルチキャスト配信装置は、パケットフレーマ１７を設け、マスクテーブル１１ｂの内容が異なる以外は、図５に示す本発明の一実施例によるＩＰマルチキャスト配信装置１と同様の構成となっており、同一構成要素には同一符号を付してある。
【００４６】
マスクテーブル１１ｂにおいては、縦軸に通常のマルチキャストトラフィックのマルチキャストアドレス（「ＭｃａｓｔＬ」、「ＭｃａｓｔＭ」、「ＭｃａｓｔＮ」、「ＭｃａｓｔＯ」、「ＭｃａｓｔＰ」）をとり、横軸に放送事故用のマルチキャストアドレス（「４Ｍ放送事故」、「６Ｍ放送事故」、「１０Ｍ放送事故」）をとり、マルチキャストトラフィックの帯域に応じて対応する放送事故トラフィックをマスクするように設定されるものとする。
【００４７】
また、放送事故用のトラフィックは入力検出部１３ｄとトラフィック選択部１４ａ〜１４ｃとの間に、パケットのマルチキャストアドレス、ＶＬＡＮ（Ｖｉｒｔｕａｌ  Ｌｏｃａｌ  Ａｒｅａ  Ｎｅｔｗｏｒｋ）を編集するパケット編集機構となるパケットフレーマ１７を持つ。
【００４８】
パケットフレーマ１７はマスクテーブル１１ｂによって該当する放送事故トラフィックに対応した通常のマルチキャストトラフィックのマルチキャストグループ（マルチキャストアドレス、ＶＬＡＮ）にしたがって放送事故データの編集を行い、該当するトラフィック選択部へとパケットを送信する。
【００４９】
図６に示す例では、４Ｍ放送事故トラフィックがＭｃａｓｔＬ，ＭｃａｓｔＭによってマスクされるため、パケットフレーマ１７は４Ｍ放送事故用のパケットをＭｃａｓｔＬのマルチキャストアドレス、ＶＬＡＮ、及びＭｃａｓｔＭのマルチキャストアドレス、ＶＬＡＮのパケットとして構築し、それぞれＭｃａｓｔＬ及びＭｃａｓｔＭに対応したトラフィック選択部１４ａ，１４ｂへと送信する。
【００５０】
この状態において、通常のマルチキャストトラフィックＭｃａｓｔＬの停止が検出されると、マスクテーブル１１ｂによって、放送事故トラフィックのマスクが解除され、トラフィック選択部１４ａによって適切なキュー１５ａへと放送事故トラフィックが格納される。
【００５１】
本実施例では、通常のトラフィックの停止によって放送事故トラフィックの入力が有効となった状態において、再度通常のマルチキャストトラフィックが定常的に入力されるようになったことを検出すると、マスクテーブル１１ｂによって再度トラフィック選択部１４ａを切替える。これによって、本実施例では、再度放送事故トラフィックがマスクされ、通常のマルチキャストトラフィックが宅内装置に配信されるようになる。
【００５２】
このように、本実施例では、配信サーバや配信サーバ側のネットワークの障害によってトラフィックが停止した場合に、視聴者に対して放送事故の発生を通知することが可能となる。
【００５３】
上述した２つの実施例における、緊急放送と放送事故とでは、緊急放送が優先される。そのため、２つのマスクテーブル１１ａ，１１ｂを該当する優先順位にしたがって検索し、緊急放送と放送事故との配信を同一のＩＰマルチキャスト配信装置１によって切替えることができる。
【００５４】
同様に、優先順位のある複数のテーブルが存在する場合には、その優先順位にしたがってトラフィックの選択、停止を行うことによって、最終的に配信するトラフィックを適切に決定することが可能となる。
【図面の簡単な説明】
【００５５】
【図１】本発明の実施の形態によるＩＰマルチキャスト配信装置の構成例を示すブロック図である。
【図２】本発明の実施の形態によるＩＰマルチキャスト配信装置の動作例を示す図である。
【図３】本発明の実施の形態によるＩＰマルチキャスト配信装置の動作例を示す図である。
【図４】本発明の一実施例によるコンテンツ配信システムの構成を示すブロック図である。
【図５】図４に示すＩＰマルチキャスト配信装置におけるパケットの動作概略を示す図である。
【図６】本発明の他の実施例によるＩＰマルチキャスト配信装置におけるパケットの動作概略を示す図である。
【図７】従来のコンテンツ配信システムの構成例を示すブロック図である。
【図８】従来のコンテンツ配信システムの動作例を示すブロック図である。
【符号の説明】
【００５６】
１  ＩＰマルチキャスト配信装置
２ａ〜２ｃ  宅内装置（＃１〜＃３）
３ａ，３ｂ  マルチキャスト配信サーバ
１１，１１ａ，１１ｂ  マスクテーブル
１２ａ〜１２ｄ  タイマ機構
１３ａ〜１３ｄ  入力検出部
１４ａ〜１４ｃ  トラフィック選択部
１５ａ〜１５ｃ  キュー
１６  多重部
１７  パケットフレーマ
１００  中継ネットワーク
１１０ａ，１１０ｂ  ＣＤＮ
【図１】
2008211694.tif 000003
【図２】
2008211694.tif 000004
【図３】
2008211694.tif 000005
【図４】
2008211694.tif 000006
【図５】
2008211694.tif 000007
【図６】
2008211694.tif 000008
【図７】
2008211694.tif 000009
【図８】
2008211694.tif 000010